(57)【要約】物理フレームの構成を動的に構成し可能な状態で無線ネットワークにアクセスする工程において、システムの同期取得を実現するように、無線ネットワークアクセス用の方法を提供するものである。システムの同期を取得する方法は、現在のサブチャンネルにおいて物理フレームを探すステップと、探して得られた前記物理フレームにおける、前記物理フレームの構成を表すシステム情報チャンネルＳＩＣＨとシステム資源の割当てを表す制御チャンネルＣＣＨとを解析するステップと、前記解析の結果を用いて、前記物理フレームからシステムパラメータを取得するステップと、を含む。本発明は、さらに、上記の方法を実現するための装置を提供するものである。【選択図】図２
2014514819.tif 000002
【特許請求の範囲】
【請求項１】
現在のサブチャンネルにおいて物理フレームを探すステップと、
探して得られた前記物理フレームにおける、前記物理フレームの構成を表すシステム情報チャンネルＳＩＣＨとシステム資源の割当てを表す制御チャンネルＣＣＨとを解析するステップと、
前記解析の結果を用いて、前記物理フレームからシステムパラメータを取得するステップと、を含む同期取得工程を備えることを特徴とする無線ネットワークアクセス用の方法。
【請求項２】
前記同期取得工程は、システムパラメータを取得した後、次のサブチャンネルに移行して、チャンネルリストにおける各サブチャンネルごとに前記物理フレームを探すステップを引き続き実行するステップをさらに含むことを特徴とする請求項１に記載の方法。
【請求項３】
システムパラメータを取得した全てのサブチャンネルを使用可能なサブチャンネルとし、前記使用可能なサブチャンネルからいずれか１つのサブチャンネルを選択するステップをさらに含むことを特徴とする請求項２に記載の方法。
【請求項４】
選択されたサブチャンネルにおいて物理フレームを引き続き探すステップと、
探して得られた物理フレームにおけるＳＩＣＨとＣＣＨを解析するステップと、
解析の結果により、探して得られた物理フレームからＢＣＦを検出してシステムパラメータを取得するステップと、を含む同期保持工程をさらに備えることを特徴とする請求項３に記載の方法。
【請求項５】
前記同期保持工程は、
物理フレームを探し始めるときに、ＳＩＣＨタイマー及びＢＣＦタイマーを始動するステップと、
前記ＳＩＣＨタイマーがタイムオーバーする前に、ＳＩＣＨの解析に成功したか否かを判断し、肯定の場合、ＳＩＣＨタイマーをリセットし、否定の場合、選択されたサブチャンネルを開始点として、前記チャンネルリストに基づいて、１つのサブチャンネルでシステムパラメータを取得するまで同期取得工程を新たに実行し、その後、直接に該１つのサブチャンネルを選択されたサブチャンネルとして同期保持工程を新たに実行するステップと、
前記ＢＣＦタイマーがタイムオーバーする前に、ＢＣＦを検出したか否かを判断し、肯定の場合、ＢＣＦタイマーをリセットし、選択されたサブチャンネルにおいて物理フレームを引き続き探し、否定の場合、選択されたサブチャンネルを開始点として、前記チャンネルリストに基づいて、１つのサブチャンネルでシステムパラメータを取得するまで同期取得工程を新たに実行し、その後、直接に該１つのサブチャンネルを選択されたサブチャンネルとして同期保持工程を新たに実行するステップと、
をさらに含むことを特徴とする請求項４に記載の方法。
【請求項６】
前記同期保持工程は、
物理フレームを探し始めるときに、ＳＩＣＨタイマー及びＢＣＦタイマーを始動するステップと、
前記ＳＩＣＨタイマーがタイムオーバーする前に、ＳＩＣＨの解析に成功したか否かを判断し、肯定の場合、ＳＩＣＨタイマーをリセットし、否定の場合、前記チャンネルリストに基づいて、同期取得工程を新たに実行するステップと、
前記ＢＣＦタイマーがタイムオーバーする前に、ＢＣＦを検出したか否かを判断し、肯定の場合、ＢＣＦタイマーをリセットし、選択されたサブチャンネルにおいて物理フレームを引き続き探し、否定の場合、前記チャンネルリストに基づいて、同期取得工程を新たに実行するステップと
をさらに含むことを特徴とする請求項４に記載の方法。
【請求項７】
前記同期保持工程は、
物理フレームを探し始めるときに、ＳＩＣＨタイマー及びＢＣＦタイマーを始動し、
前記ＳＩＣＨタイマーがタイムオーバーする前に、ＳＩＣＨの解析に成功したか否かを判断し、肯定の場合、ＳＩＣＨタイマーをリセットし、否定の場合、使用可能なサブチャンネルから１つのサブチャンネルを新たに選択して同期保持工程を実行するステップと、
前記ＢＣＦタイマーがタイムオーバーする前に、ＢＣＦを検出したか否かを判断し、肯定の場合、ＢＣＦタイマーをリセットし、選択されたサブチャンネルにおいて物理フレームを引き続き探し、否定の場合、使用可能なサブチャンネルから１つのサブチャンネルを新たに選択して同期保持工程を実行するステップと
をさらに含むことを特徴とする請求項４に記載の方法。
【請求項８】
前記同期保持工程において、探して得られた現在の物理フレームにおけるＳＩＣＨを利用して、次の物理フレームの開始時刻を確定することを特徴とする請求項４に記載の方法。
【請求項９】
前記同期取得工程において、物理フレームのフレームヘッダーを検出することにより、物理フレームを探すことを特徴とする請求項１に記載の方法。
【請求項１０】
現在のサブチャンネルにおいてフレームヘッダーが検出されなかった場合、現在のサブチャンネルにおいて検出を引き続き実行し、サブチャンネルの待機時間を超えると、次のサブチャンネルに移行し、引き続き前記物理フレームを探すステップを実行することを特徴とする請求項９に記載の方法。
【請求項１１】
前記同期取得工程において、前記ＳＩＣＨ及びＣＣＨの解析に成功しなかった場合、現在のサブチャンネルにおいて引き続き前記物理フレームを探すステップを実行し、サブチャンネルの待機時間を超えると、次のサブチャンネルに移行し、引き続き前記物理フレームを探すステップを実行することを特徴とする請求項１に記載の方法。
【請求項１２】
前記同期取得工程において、前記システムパラメータを取得するステップは、
前記解析の結果を利用して、前記物理フレームからブロードキャストフレームＢＣＦを検出するステップと、
前記ＢＣＦからシステムパラメータを取得するステップと、を含むことを特徴とする請求項１に記載の方法。
【請求項１３】
前記物理フレームからＢＣＦを検出しなかった場合、現在のサブチャンネルにおいて引き続き前記物理フレームを探すステップを実行し、サブチャンネルの待機時間を超えると、次のサブチャンネルに移行し、引き続き前記物理フレームを探すステップを実行することを特徴とする請求項１２に記載の方法。
【請求項１４】
現在のサブチャンネルにおいて物理フレームを探す第１の検出ユニットと、
前記第１の検出ユニットによって探して得られた物理フレームにおける、物理フレームの構成を表すＳＩＣＨ及びシステム資源の割当てを表すＣＣＨを解析する第１の解析ユニットと、
前記第１の解析ユニットによる解析の結果を利用して、前記第１の検出ユニットによって探して得られた物理フレームからシステムパラメータを取得する第１の取得ユニットと、を含む同期取得モジュールを備えることを特徴とする無線ネットワークアクセス用の装置。
【請求項１５】
前記第１の取得ユニットがシステムパラメータを取得した後、次のサブチャンネルに移行し、所定のチャンネルリストにおける各チャンネルごとに引き続き物理フレームを探すよう前記第１の検出ユニットをトリガすることを特徴とする請求項１４に記載の装置。
【請求項１６】
前記第１の取得ユニットは、さらに、システムパラメータを取得した全てのサブチャンネルを使用可能なサブチャンネルとし、前記使用可能なサブチャンネルからいずれか１つのサブチャンネルを選択することを特徴とする請求項１５に記載の装置。
【請求項１７】
選択されたサブチャンネルにおいて引き続き物理フレームを探す第２の検出ユニットと、
前記第２の検出ユニットによって探して得られた物理フレームにおいてＳＩＣＨ及びＣＣＨを解析する第２の解析ユニットと、
前記第２の解析ユニットによる解析結果を利用して、前記第２の検出ユニットによって探して得られた物理フレームからＢＣＦを検出してシステムパラメータを取得する第２の取得ユニットと、を含む同期保持モジュールをさらに備えることを特徴とする請求項１６に記載の装置。
【請求項１８】
前記同期保持モジュールは、ＳＩＣＨタイマーと、ＢＣＦタイマーと、判断ユニットとをさらに備え、
前記第２の検出ユニットは、さらに、物理フレームを探し始める時に、前記ＳＩＣＨタイマー及びＢＣＦタイマーを始動させ、
前記判断ユニットは、前記ＳＩＣＨタイマーがタイムオーバーする前に、前記第２の解析ユニットがＳＩＣＨの解析に成功したか否かを判断し、肯定の場合、前記ＳＩＣＨタイマーをリセットし、否定の場合、選択されたサブチャンネルを開始点とし、前記チャンネルリストに基づいて操作を新たに実行するよう前記同期取得モジュールをトリガし、前記ＢＣＦタイマーがタイムオーバーする前に、前記第２の取得ユニットがＢＣＦを検出したか否かを判断し、肯定の場合、前記ＢＣＦタイマーをリセットし、選択されたサブチャンネルにおいて物理フレームを引き続き探すよう前記第２の検出ユニットをトリガし、否定の場合、選択されたサブチャンネルを開始点とし、前記チャンネルリストに基づいて操作を新たに実行するよう前記同期取得モジュールをトリガし、
前記第１の取得ユニットは、さらに、操作を新たに実行する中、１つのチャンネルにおいてシステムパラメータを取得した後、該１つのサブチャンネルを選択されたサブチャンネルとして操作を新たに実行するよう前記同期保持モジュールを直接トリガすることを特徴とする請求項１７に記載の装置。
【請求項１９】
前記同期保持モジュールは、ＳＩＣＨタイマーと、ＢＣＦタイマーと、判断ユニットとをさらに備え、
前記第２の検出ユニットは、さらに、物理フレームを探し始める時に、前記ＳＩＣＨタイマー及びＢＣＦタイマーを始動させ、
前記判断ユニットは、前記ＳＩＣＨタイマーがタイムオーバーする前に、前記第２の解析ユニットがＳＩＣＨの解析に成功したか否かを判断し、肯定の場合、前記ＳＩＣＨタイマーをリセットし、否定の場合、前記チャンネルリストに基づいて操作を新たに実行するよう前記同期取得モジュールをトリガし、前記ＢＣＦタイマーがタイムオーバーする前に、前記第２の取得ユニットがＢＣＦを検出したか否かを判断し、肯定の場合、前記ＢＣＦタイマーをリセットし、選択されたサブチャンネルにおいて物理フレームを引き続き探すよう前記第２の検出ユニットをトリガし、否定の場合、前記チャンネルリストに基づいて操作を新たに実行するよう前記同期取得モジュールをトリガすることを特徴とする請求項１７に記載の装置。
【請求項２０】
前記同期保持モジュールは、ＳＩＣＨタイマーと、ＢＣＦタイマーと、判断ユニットとをさらに備え、
前記第２の検出ユニットは、さらに、物理フレームを探し始める時に、前記ＳＩＣＨタイマー及びＢＣＦタイマーを始動させ、
前記判断ユニットは、前記ＳＩＣＨタイマーがタイムオーバーする前に、前記第２の解析ユニットがＳＩＣＨの解析に成功したか否かを判断し、肯定の場合、前記ＳＩＣＨタイマーをリセットし、否定の場合、使用可能なサブチャンネルにおいて１つのサブチャンネルを新たに選択するよう前記第１の取得ユニットをトリガし、前記ＢＣＦタイマーがタイムオーバーする前に、前記第２の取得ユニットがＢＣＦを検出したかどうかを判断し、肯定の場合、前記ＢＣＦタイマーをリセットし、選択されたサブチャンネルにおいて物理フレームを引き続き探すよう前記第２の検出ユニットをトリガし、否定の場合、使用可能なサブチャンネルにおいて１つのサブチャンネルを新たに選択するよう前記第１の取得ユニットをトリガすることを特徴とする請求項１７に記載の装置。
【請求項２１】
前記第２の検出ユニットは、選択されたサブチャンネルにおいて探して得られた現在の物理フレームにおけるＳＩＣＨを利用して、次の物理フレームの開始時刻を確定することを特徴とする請求項１７に記載の装置。
【請求項２２】
前記第１の検出ユニットは、物理フレームのフレームヘッダーを検出することによって、物理フレームを探すことを特徴とする請求項１４に記載の装置。
【請求項２３】
前記第１の検出ユニットは、現在のサブチャンネルでフレームヘッダーが検出されなかった場合、引き続き現在のサブチャンネルにおいて検出を実行し、サブチャンネルの待機時間を超えると、次のサブチャンネルに移行して、物理フレームを引き続き探すことを特徴とする請求項２２に記載の装置。
【請求項２４】
前記第１の解析ユニットがＳＩＣＨ及びＣＣＨの解析に成功しなかった場合、現在のサブチャンネルにおいて物理フレームを引き続き探すよう前記第１の検出ユニットをトリガし、サブチャンネルの待機時間を超えると、次のサブチャンネルに移行して物理フレームを引き続き探すよう前記第１の検出ユニットをトリガすることを特徴とする請求項１４に記載の装置。
【請求項２５】
前記第１の取得ユニットは、前記物理フレームからブロードキャストフレームＢＣＦを検出し、そして前記ＢＣＦからシステムパラメータを取得することを特徴とする請求項１４に記載の装置。
【請求項２６】
前記第１の取得ユニットがＢＣＦを検出しなかった場合、現在のチャンネルにおいて物理フレームを引き続き探すよう前記第１の検出ユニットをトリガし、サブチャンネルの待機時間を超えると、次のサブチャンネルに移行し、物理フレームを引き続き探すよう前記第１の検出ユニットをトリガすることを特徴とする請求項２５に記載の装置。
【発明の詳細な説明】
【技術分野】
【０００１】
本願は、出願日が２０１１年３月３１日、出願番号が２０１１１００８１２８８．６、発明の名称が『無線通信方法』である中国特許出願の優先権を主張するものであり、当該先行出願の全部内容は本願に表される。
【０００２】
本願は、出願日が２０１１年３月３１日、出願番号が２０１１１００８１１９３．４、発明の名称が『無線通信方法、システム及び装置』である中国特許出願の優先権を主張するものであり、当該先行出願の全部内容は本願に表される。
【０００３】
本願は、出願日が２０１１年５月１９日、出願番号が２０１１１０１３０１９４．３、発明の名称が『通信システム』である中国特許出願の優先権を主張するものであり、当該先行出願の全部内容は本願に表される。
【０００４】
本願は、出願日が２０１１年７月６日、出願番号が２０１１１０１８９２２６．７、発明の名称が『無線ネットワークアクセス用の方法及び装置』である中国特許出願の優先権を主張するものであり、当該先行出願の全部内容は本願に表される。
【０００５】
本願は、出願日が２０１２年２月１６日、出願番号が２０１２１００３５７９１．２、発明の名称が『無線ネットワークアクセス用の方法及び装置』である中国特許出願の優先権を主張するものであり、当該先行出願の全部内容は本願に表される。
【０００６】
本願は、出願日が２０１２年２月２９日、出願番号が２０１２１００５０５５４．３、発明の名称が『無線ネットワークアクセス用の方法及び装置』である中国特許出願の優先権を主張するものであり、当該先行出願の全部内容は本願に表される。
【０００７】
本発明は無線通信分野に属し、特に無線ネットワークアクセス用の方法及び装置に関するものである。
【背景技術】
【０００８】
近年来、無線通信システムは盛んに発展しており、例えば８０２．１１規格に準拠する無線ＬＡＮ技術ＷｉＦｉ、８０２．１５規格に準拠するブルートゥース(Ｂｌｕｅｔｏｏｔｈ)システム及び移動通信システムによって発展された室内向けでアプリケーションするＦｅｍｔｏ技術等が広くアプリケーションされている。
【０００９】
８０２．１１規格に準拠するＷｉＦｉ技術は、現在、一番広く使用されている無線ネットワーク伝送技術である。ＷｉＦｉシステムは搬送波感知多重アクセス／衝突回避(ＣＳＭＡ／ＣＡ、Carrier Sense Multiple Access with Collision Avoidance)方式を採用しているので、システムは効率が低く、無線資源を大きく浪費する。この問題を招来する根本的な原因は、ＣＳＭＡ／ＣＡ方式が競争に基づくランダム多重アクセス方式であり、センタアクセスポイント(ＣＡＰ、Access Point)とステーション(ＳＴＡ、Station)の間、又は異なるＳＴＡ同士の間は、ＣＳＭＡ／ＣＡ方式により無線資源の使用権を競争するとともに、無線チャンネルを競争する。この場合、衝突が発生し、無線資源の浪費を招く。衝突を回避するために、ＣＳＭＡ／ＣＡ方式においては、ＣＡＰ又はＳＴＡが無線チャンネルを競争する時に、ランダムに退避することが要求されており、全部のＣＡＰ及びＳＴＡがいずれも退避した場合、無線チャンネルは空いているが、使用されていない。これも無線チャンネルに対する巨大な浪費である。上記原因により、８０２．１１システムは効率が低い。例えば、８０２．１１ｇシステムでは物理層におけるピークレートは５４Ｍｂｐｓに達することができるが、ＴＣＰ層における大容量パケットのダウンロードレートが３０Ｍｂｐｓ以下である。上記欠陥があるが、８０２．１１システムは柔軟性があり、集中制御方式によらないので、装置の低コストを図ることができる。
【００１０】
３ＧＰＰ規格に準拠するＦｅｍｔｏ技術は、移動通信システムから発展された室内向けの新規技術である。３Ｇシステムのデータ統計によれば、略７０％のデータ業務は室内で行われるので、室内ハイレートデータアクセス方案は特に重要である。Ｆｅｍｔｏ基地局は、超小型基地局と称され、体積が小さくて(Ｗｉ−Ｆｉと近似)、設置の融通性がよい。移動通信システムから発展されたので、Ｆｅｍｔｏ基地局は移動通信システムの全ての特徴をほとんど継続している。Ｆｅｍｔｏ装置は、制限されたカバー範囲や少ないアクセス使用者などのアプリケーションシーン特徴に合わせて、装置処理能力を低減することにより、装置コストを低減させたのみである。デュプレックスモードから考慮すると、移動通信システムと同様に、Ｆｅｍｔｏ基地局はＦＤＤとＴＤＤという２種類のデュプレックスモードに分けられる。ＦＤＤでは、上り下がり搬送波資源が対称するが、データ業務における上り下がりデータ通信量の非対称業務特徴により、ＦＤＤシステムがデータ業務に際してある程度の資源浪費が存在している。ＴＤＤシステムでは上り下がりリンクが同一搬送波で作業し、時資源を分けることにより、上り下がりリンクに異なる無線資源を割当てるので、ＦＤＤよりも上り下がり業務が必要な非対称のデータ業務に好適適用できる。しかしながら、移動通信システム(Ｆｅｍｔｏシステムを含む)のＴＤＤデュプレックスモードでは、上り下がり資源が静的に割当てられ、要望の異なる各種類のデータ業務、例えば、ネット頁閲覧、移動ビデオ、移動ゲーム等に対して、業務要望と資源配分の動的アダプテーションを実現し難い。Ｗｉ−Ｆｉと比較すると、Ｆｅｍｔｏが調達に基づく集中制御方式を採用し、基地局又はＣＡＰと端末、あるいは端末同士の間には、競争衝突及びランダム退避による無線資源の浪費が存在しないので、リンク効率は高い。
【００１１】
無線通信システムに対して、無線ネットワークにアクセスする必要がある。
【発明の概要】
【発明が解決しようとする課題】
【００１２】
これに鑑み、本発明の１つの目的は、無線ネットワークにアクセスする方法を提供することにある。
【００１３】
本発明のもう１つの目的は、無線ネットワークにアクセスする装置を提供することにある。
【課題を解決するための手段】
【００１４】
本発明で開示される実施例のいくつかの面を基本的に理解するために、以下、簡単な概括を提供している。当該概括部分は一般的に論評するものでもなく、鍵／重要な構成元素を確定する、又はこれらの実施例の保護範囲を描くものでもない。その唯一の目的は、簡単な形式で概念を表して、以下の詳しい説明の基礎とすることにある。
【００１５】
本発明の技術案は、下記の通り実現することである。
【００１６】
同期取得工程を備える無線ネットワークアクセス用の方法であって、前記同期取得工程は、
現在のサブチャンネルにおいて物理フレームを探すステップと、
探して得られた前記物理フレームにおける、前記物理フレームの構成を表すシステム情報チャンネルＳＩＣＨとシステム資源の割当てを表す制御チャンネルＣＣＨとを解析するステップと、
前記解析結果を用いて、前記物理フレームからシステムパラメータを取得するステップと、を含む。
【００１７】
一種類の実施例において、前記同期取得工程は、システムパラメータを取得した後、次のサブチャンネルに移行して、チャンネルリストにおける各サブチャンネルごとに前記物理フレームを探すステップを引き続き実行するステップをさらに含む。
【００１８】
選択可能に、該方法は、システムパラメータを取得した全てのサブチャンネルを使用可能なサブチャンネルとし、前記使用可能なサブチャンネルからいずれか１つのサブチャンネルを選択するステップをさらに含む。
【００１９】
選択可能に、該方法は、選択されたサブチャンネルにおいて物理フレームを引き続き探すステップと、
探して得られた物理フレームにおけるＳＩＣＨとＣＣＨを解析するステップと、
解析の結果により、探して得られた物理フレームからＢＣＦを検出してシステムパラメータを取得するステップと、を含む同期保持工程をさらに備える。
【００２０】
選択可能な実施方式として、前記同期保持工程は、
物理フレームを探し始めるときに、ＳＩＣＨタイマー及びＢＣＦタイマーを始動するステップと、
前記ＳＩＣＨタイマーがタイムオーバーする前に、ＳＩＣＨの解析に成功したか否かを判断し、肯定の場合、ＳＩＣＨタイマーをリセットし、否定の場合、選択されたサブチャンネルを開始点として、前記チャンネルリストに基づいて、１つのサブチャンネルでシステムパラメータを取得するまで同期取得工程を新たに実行し、その後、直接に該１つのサブチャンネルを選択されたサブチャンネルとして同期保持工程を新たに実行するステップと、
前記ＢＣＦタイマーがタイムオーバーする前に、ＢＣＦを検出したか否かを判断し、肯定の場合、ＢＣＦタイマーをリセットし、選択されたサブチャンネルにおいて物理フレームを引き続き探し、否定の場合、選択されたサブチャンネルを開始点として、前記チャンネルリストに基づいて、１つのサブチャンネルでシステムパラメータを取得するまで同期取得工程を新たに実行し、その後、直接に該１つのサブチャンネルを選択されたサブチャンネルとして同期保持工程を新たに実行するステップと
をさらに含む。
【００２１】
他の選択可能な実施方式として、前記同期保持工程は、
物理フレームを探し始めるときに、ＳＩＣＨタイマー及びＢＣＦタイマーを始動するステップと、
前記ＳＩＣＨタイマーがタイムオーバーする前に、ＳＩＣＨの解析に成功したか否かを判断し、肯定の場合、ＳＩＣＨタイマーをリセットし、否定の場合、前記チャンネルリストに基づいて、同期取得工程を新たに実行するステップと、
前記ＢＣＦタイマーがタイムオーバーする前に、ＢＣＦを検出したか否かを判断し、肯定の場合、ＢＣＦタイマーをリセットし、選択されたサブチャンネルにおいて物理フレームを引き続き探し、否定の場合、前記チャンネルリストに基づいて、同期取得工程を新たに実行するステップと
をさらに含む。
【００２２】
また、他の選択可能な実施方式として、前記同期保持工程は、
物理フレームを探し始めるときに、ＳＩＣＨタイマー及びＢＣＦタイマーを始動し、
前記ＳＩＣＨタイマーがタイムオーバーする前に、ＳＩＣＨの解析に成功したか否かを判断し、肯定の場合、ＳＩＣＨタイマーをリセットし、否定の場合、使用可能なサブチャンネルから１つのサブチャンネルを新たに選択して同期保持工程を実行するステップと、
前記ＢＣＦタイマーがタイムオーバーする前に、ＢＣＦを検出したか否かを判断し、肯定の場合、ＢＣＦタイマーをリセットし、選択されたサブチャンネルにおいて物理フレームを引き続き探し、否定の場合、使用可能なサブチャンネルから１つのサブチャンネルを新たに選択して同期保持工程を実行するステップと
をさらに含む。
【００２３】
選択可能に、前記同期保持工程において、探して得られた現在の物理フレームにおけるＳＩＣＨを利用して、次の物理フレームの開始時刻を確定する。
【００２４】
一種の実施例において、前記同期取得工程において、物理フレームのフレームヘッダーを検出することにより、物理フレームを探す。
【００２５】
選択可能に、現在のサブチャンネルにおいてフレームヘッダーが検出されなかった場合、現在のサブチャンネルにおいて検出を引き続き実行し、サブチャンネルの待機時間を超えると、次のサブチャンネルに移行し、前記物理フレームを探すステップを引き続き実行する。
一種類の実施例において、前記同期取得工程において、前記ＳＩＣＨ及びＣＣＨの解析に成功しなかった場合、現在のサブチャンネルにおいて引き続き前記物理フレームを探すステップを実行し、サブチャンネルの待機時間を超えると、次のサブチャンネルに移行し、引き続き前記物理フレームを探すステップを実行する。
【００２６】
一種類の実施例において、前記同期取得工程において、前記システムパラメータを取得するステップは、
前記解析の結果を利用して、前記物理フレームからブロードキャストフレームＢＣＦを検出するステップと、
前記ＢＣＦからシステムパラメータを取得するステップと、を含む。
【００２７】
選択可能に、前記物理フレームからＢＣＦを検出しなかった場合、現在のサブチャンネルにおいて引き続き前記物理フレームを探すステップを実行し、サブチャンネルの待機時間を超えると、次のサブチャンネルに移行し、引き続き前記物理フレームを探すステップを実行する。
【００２８】
同期取得モジュールを備える無線ネットワークアクセス装置であって、前記同期取得モジュールは、
現在のサブチャンネルにおいて物理フレームを探す第１の検出ユニットと、
前記第１の検出ユニットによって探して得られた物理フレームにおける物理フレームの構成を表すＳＩＣＨ及びシステム資源の割当てを表すＣＣＨを解析する第１の解析ユニットと、
前記第１の解析ユニットによる解析の結果を利用して、前記第１の検出ユニットによって探して得られた物理フレームからシステムパラメータを取得する第１の取得ユニットと、を含む。
【００２９】
一種類の実施例において、前記第１の取得ユニットがシステムパラメータを取得した後、次のサブチャンネルに移行し、所定のチャンネルリストにおける各チャンネルごとに引き続き物理フレームを探すよう前記第１の検出ユニットをトリガする。
【００３０】
選択可能に、前記第１の取得ユニットは、さらに、システムパラメータを取得した全てのサブチャンネルを使用可能なサブチャンネルとし、前記使用可能なサブチャンネルからいずれか１つのサブチャンネルを選択する。
【００３１】
選択可能に、前記装置は、
選択されたサブチャンネルにおいて引き続き物理フレームを探す第２の検出ユニットと、
前記第２の検出ユニットによって探して得られた物理フレームにおいてＳＩＣＨ及びＣＣＨを解析する第２の解析ユニットと、
前記第２の解析ユニットによる解析の結果を利用して、前記第２の検出ユニットによって探して得られた物理フレームからＢＣＦを検出してシステムパラメータを取得する第２の取得ユニットと、を含む同期保持モジュールをさらに備える。
【００３２】
選択可能な実施方式として、前記同期保持モジュールは、
ＳＩＣＨタイマーとＢＣＦタイマーと判断ユニットとをさらに備え、
前記第２の検出ユニットは、さらに、物理フレームを探し始める時に、前記ＳＩＣＨタイマー及びＢＣＦタイマーを始動させ、
前記判断ユニットは、前記ＳＩＣＨタイマーがタイムオーバーする前に、前記第２の解析ユニットがＳＩＣＨの解析に成功したか否かを判断し、肯定の場合、前記ＳＩＣＨタイマーをリセットし、否定の場合、選択されたサブチャンネルを開始点とし、前記チャンネルリストに基づいて操作を新たに実行するよう前記同期取得のモジュールをトリガし、前記ＢＣＦタイマーがタイムオーバーする前に、前記第２の取得ユニットがＢＣＦを検出したか否かを判断し、肯定の場合、前記ＢＣＦタイマーをリセットし、選択されたサブチャンネルにおいて物理フレームを引き続き探すよう前記第２の検出ユニットをトリガし、否定の場合、選択されたサブチャンネルを開始点とし、前記チャンネルリストに基づいて操作を新たに実行するよう前記同期取得モジュールをトリガし、
前記第１の取得ユニットは、さらに、操作を新たに実行する中、１つのサブチャンネルにおいてシステムパラメータを取得した後、該サブチャンネルを選択されたサブチャンネルとして操作を新たに実行するよう前記同期保持モジュールを直接トリガする。
【００３３】
また、選択可能な実施方式として、前記同期保持モジュールは、ＳＩＣＨタイマーと、ＢＣＦタイマーと、判断ユニットとをさらに備え、
前記第２の検出ユニットは、さらに、物理フレームを探し始める時に、前記ＳＩＣＨタイマー及びＢＣＦタイマーを始動させ、
前記判断ユニットは、前記ＳＩＣＨタイマーがタイムオーバーする前に、前記第２の解析ユニットがＳＩＣＨの解析に成功したか否かを判断し、肯定の場合、前記ＳＩＣＨタイマーをリセットし、否定の場合、前記チャンネルリストに基づいて操作を新たに実行するよう前記同期取得モジュールをトリガし、前記ＢＣＦタイマーがタイムオーバーする前に、前記第２の取得ユニットがＢＣＦを検出したか否かを判断し、肯定の場合、前記ＢＣＦタイマーをリセットし、選択されたサブチャンネルにおいて物理フレームを引き続き探すよう前記第２の検出ユニットをトリガし、否定の場合、前記チャンネルリストに基づいて操作を新たに実行するよう前記同期取得モジュールをトリガする。
【００３４】
また、選択可能な実施方式として、前記同期保持モジュールは、ＳＩＣＨタイマーと、ＢＣＦタイマーと、判断ユニットとをさらに備え、
前記第２の検出ユニットは、さらに、物理フレームを探し始める時に、前記ＳＩＣＨタイマー及びＢＣＦタイマーを始動させ、
前記判断ユニットは、前記ＳＩＣＨタイマーがタイムオーバーする前に、前記第２の解析ユニットがＳＩＣＨの解析に成功したか否かを判断し、肯定の場合、前記ＳＩＣＨタイマーをリセットし、否定の場合、使用可能なサブチャンネルにおいて１つのサブチャンネルを新たに選択するよう前記第１の取得ユニットをトリガし、前記ＢＣＦタイマーがタイムオーバーする前に、前記第２の取得ユニットがＢＣＦを検出したかどうかを判断し、肯定の場合、ＢＣＦタイマーをリセットし、選択されたサブチャンネルにおいて物理フレームを引き続き探すよう前記第２の検出ユニットをトリガし、否定の場合、使用可能なサブチャンネルにおいて１つのサブチャンネルを新たに選択するよう前記第１の取得ユニットをトリガする。
【００３５】
選択可能に、前記第２の検出ユニットは、選択されたサブチャンネルにおいて探して得られた現在の物理フレームにおけるＳＩＣＨを利用して、次の物理フレームの開始時刻を確定する。
【００３６】
一種類の実施例において、前記第１の検出ユニットは、物理フレームのフレームヘッダーを検出することによって、物理フレームを探す。
【００３７】
選択可能に、前記第１の検出ユニットは、現在のサブチャンネルでフレームヘッダーが検出されなかった場合、引き続き現在のサブチャンネルにおいて検出を実行し、サブチャンネルの待機時間を超えると、次のサブチャンネルに移行して、物理フレームを引き続き探す。
【００３８】
一種類の実施例において、前記第１の解析ユニットがＳＩＣＨ及びＣＣＨの解析に成功しなかった場合、現在のチャンネルにおいて物理フレームを引き続き探すよう前記第１の検出ユニットをトリガし、サブチャンネルの待機時間を超えると、次のサブチャンネルに移行して物理フレームを引き続き探すよう前記第１の検出ユニットをトリガする。
【００３９】
一種類の実施例において、前記第１の取得ユニットは、前記物理フレームからブロードキャストフレームＢＣＦを検出し、そして前記ＢＣＦからシステムパラメータを取得する。
【００４０】
選択可能に、前記第１の取得ユニットがＢＣＦを検出しなかった場合、現在のサブチャンネルにおいて物理フレームを引き続き探すよう前記第１の検出ユニットをトリガし、サブチャンネルの待機時間を超えると、次のサブチャンネルに移行し、物理フレームを引き続き探すよう前記第１の検出ユニットをトリガする。
【００４１】
このように、本発明が提供する無線ネットワークアクセス用の方法では、物理フレームの構成が動的配置可能なことに対して、システムの同期取得を実現した。
【００４２】
上記及び関連の目的を実現するために、１つ又は複数の実施例において、後で詳しく説明し且つ特許請求の範囲で特に指摘する特徴を含んでいる。以下の説明、図面は示例的な面を詳しく説明し、且つ以下の説明、図面に記載されているものは各実施例の原則的に利用可能な各種方式における一部の方式のみである。その他の利点及び新規性特徴は下記の詳しい説明に連れて、図面を結合して考慮すると明確になり、開示された実施例は、これらの面及びそれらの同等を全て含むものである。
【図面の簡単な説明】
【００４３】
【図１】本発明の無線ネットワークアクセス用の方法のフローチャート図である。
【図２】本発明の無線ネットワークアクセス用の方法を示す図である。
【図３】補強型超高速無線ＬＡＮ(ＥＵＨＴ)システムの参考模型を示す図である。
【図４】ＥＵＨＴシステムのアクセスシステム構成を示す図である。
【図５】ＥＵＨＴシステム中のＳＴＡとＣＡＰの間のプロトコルデータの送受信の過程を示す図である。
【図６】本発明の実施例に係わる無線ネットワークにアクセスするための方法フローチャート図である。
【図７】ＳＴＡの下がり同期を保持するフローチャート図である。
【図８】本発明において無線ネットワークにアクセスする端末側装置の構成概略図である。
【図９】本発明の実施例においてシステムの同期を取得する装置の構成概略図である。
【図１０】本発明の実施例においてシステムの同期を取得する装置の他の構成概略図である。
【発明を実施するための形態】
【００４４】
当業者が本発明の具体的な実施方式を実施できるように、以下の記述及び図面はそれらを十分に示している。その他の実施方式は構成、論理、電気、過程及びその他の変更を含むことができる。実施例は可能な変更のみを代表している。明確な要求を除いて、単独な部品及び機能は選択でき、且つ操作の順は変更できる。一部の実施案の部分及び特徴はその他の実施案の部分及び特徴に含まれる、又は交替される。本発明の実施案の範囲は、特許請求の範囲の全部範囲、及び特許請求の範囲の全ての取得できる等同物を含む。本文において、本発明のこれらの実施案は、単独的又は総括的に『発明』という用語により表される。これは、便利にするために過ぎない。そして、事実上、１個以上の発明が公開されても、該応用の範囲が任意の単独な発明又は発明構想に自動的に規制するものではない。
【００４５】
図１は本発明の無線ネットワークアクセス用の方法フローチャート図である。該フローは、
ステップ１１：システム同期を取得する。
ここのシステムパラメータの取得は、システム初期化をする過程に相当する。
ステップ１２：ＣＡＰにランダムにアクセスし、ＣＡＰと能力協商を行う。
というステップを含んでいる。
【００４６】
本発明の無線ネットワークアクセス用の方法とは、図１に示すフローにおけるシステム同期を取得する過程をいう。
【００４７】
図２は本発明の無線ネットワークアクセス用の方法である。該方法は、同期取得工程を含み、前記同期取得工程は、下記のステップを含んでいる。
【００４８】
ステップ２１：現在のサブチャンネルにおいて物理フレームを探す。
【００４９】
ステップ２２：探して得られた物理フレーム中の前記物理フレームの構成を表すシステム情報チャンネル（ＳＩＣＨ）及びシステム資源の割当てを表す制御チャンネル（ＣＣＨ）を解析する。
【００５０】
本発明の無線ネットワークアクセス用の方法は、物理フレーム構成が動的に配置できることに対して提出されるものであり、物理フレームにおけるＳＩＣＨは物理フレームの構成配置を表す。例えば、物理フレームにおける各チャンネルの有無及び時間長を表す。
【００５１】
物理フレームにおけるＣＣＨはシステム資源の割当てを表し、そのうちシステムパラメータに割当てる資源の表しを含む。
【００５２】
ステップ２３は、解析結果を利用して、物理フレームからシステムパラメータを取得する。
【００５３】
これによれば、本発明に係わる無線ネットワークアクセス用の方法において、物理フレーム構成が動的に配置できることに対して、システムの同期取得を実現した。
【００５４】
本発明の方法の選択可能な実施例を詳しく紹介する前に、先ず選択可能な実施例のアプリケーションシーンを提供する。該アプリケーションシーンは一種類の具体的な例示のみであり、本発明の保護範囲を限定するわけではない。
【００５５】
図３はＥＵＨＴシステムの参考模型を示す図である。
【００５６】
図３に示すシステム参考模型は主に空中インタフェース参考模型であり、メディアアクセス制御（ＭＡＣ）層及び物理（ＰＨＹ）層を含み、各層の主な機能は下記の通り簡単に説明する。
【００５７】
（１）ＭＡＣ層はアダプテーションサブ層とＭＡＣサブ層を含む。
アダプテーションサブ層：主に、外部ネットワークデータとＭＡＣ層サービスプロトコルユニット(ＭＳＤＵ)との間のマッピング及び変換の機能を提供する。ＭＳＤＵはＭＡＣサービスアクセスポイント(ＳＡＰ)同士の間にユニットとして交付された情報を指す。
ＭＡＣサブ層：メディアアクセス制御の機能を担当するほか、システムの管理と制御及びＰＨＹ層の特定機能へのサポートもさらに含む。
【００５８】
（２）ＰＨＹ層：主にＭＰＤＵを相応な物理チャンネルにマッピングするＰＨＹ伝送方式、例えば、直交周波数分割多重(ＯＦＤＭ)と多入力多出力(ＭＩＭＯ)技術を提供する。ＭＰＤＵとは２つの対等なＭＡＣ実体の間で、ＰＨＹ層サービスを利用して交換されたデータユニットを指す。
【００５９】
図４はＥＵＨＴシステムのアクセスシステム構成であり、センタアクセスポイント(ＣＡＰ)とステーション(ＳＴＡ)を含み、ＳＴＡは例えば、ＰＤＡ、ノートパソコン、カメラ、ビデオカメラ、携帯、タブレットコンピューター及びＰＡＤなど各種のデータ機器であってもよい。図４に示すようにＳＴＡ１とＳＴＡ２は空中インタフェースプロトコルによりＣＡＰにアクセスされ、ＣＡＰは有線又は無線を通じて、従来の外部ネットワーク（例えば、ＩＰバックボーンネットワーク、イーサネット）と通信を行う。そのうち、ＣＡＰのプロトコル構成はＭＡＣ層とＰＨＹ層を含む。ＳＴＡプロトコル構成はアプリケーション(ＡＰＰｌｉｃａｔｉｏｎ)層、伝送制御(ＴＣＰ)層、ネットワーク(ＩＰ)層、ＭＡＣ層及びＰＨＹ層を含む。
【００６０】
図４に示すプロトコル構成に基づき、図５はＳＴＡとＣＡＰの間のプロトコルデータの送受信の過程を示しており、例えば、ＳＴＡがデータをＣＡＰに送信しようとすれば、ＳＴＡがまずアプリケーションデータ（例えばＶｏＩＰ、ビデオなど）をアプリケーション層、ＴＣＰ/ＩＰ層の処理を介してパッケージし、ＩＰパケットの形式でＩＰアダプテーションサブ層に送信し、ＩＰアダプテーションサブ層が変換とマッピングを行ってＭＡＣサブ層に送信し、ＭＡＣサブ層がセグメンテーション、暗号化、フレーム化、集合などの操作を通じてＰＨＹ層に送信し、最終にＰＨＹによって無線チャンネルにマッピングしてデータ伝送を行う。
【００６１】
ＥＵＨＴシステムにおいて、ＳＴＡとＣＡＰはいずれも２０ＭＨｚ、４０ＭＨｚ及び８０ＭＨｚをサポートでき、システムの所定のチャンネルリストはシステムのサブチャンネルを表し、これらのサブチャンネルは１つ又は複数個のＣＡＰのワーキングサブチャンネルを含むことができる。
【００６２】
下記表１は２.４ＧＨｚ周波数範囲で所定のチャンネルリストの一種類の例を挙げる。
【００６３】
【表１】
2014514819.tif 000003
【００６４】
図６は本発明の実施例に係わる無線ネットワークにアクセスするための方法フローチャート図であり、当該方法は同期取得工程を含み、前記同期取得工程は、以下のステップを含んでいる。
【００６５】
ステップ６１：現在のサブチャンネルにおいて物理フレームを探し、具体的に言えば、現在のサブチャンネルにおいて物理フレームのフレームヘッダーを検出したか否かを判断し、肯定の場合、ステップ６２を実行し、否定の場合、引き続き検出を実行し、サブチャンネルの待機時間を超えると、次のサブチャンネルに移行し、引き続きステップ６１を実行する。
【００６６】
ステップ６２：物理フレームにおけるＳＩＣＨとＣＣＨを解析できるか否かを判断し、肯定の場合、ステップ６３を実行し、否定の場合、引き続きステップ６１を実行し、サブチャンネルの待機時間を超えると、次のサブチャンネルに移行し、引き続きステップ６１を実行する。
【００６７】
本発明に係わる物理フレームでは、リーダー配列とＳＩＣＨの位置及び時間長が予め設定され、動的配置を行わず、ＣＣＨがＳＩＣＨの後の隣接する位置に位置し、ＣＣＨの時間長が動的配置可能である。
【００６８】
ＳＩＣＨは物理フレームの構成配置を表し、具体的には現在の物理フレームにおける各チャンネルの有無及び／又は時間長を表すことができる。例えば、時間長が固定であるチャンネルにとって、ＳＩＣＨにおいて、１ビットで当該チャンネルの有無を表すことができ、当該チャンネルの時間長を暗示的に表し、時間長が固定でないチャンネルにとってはＳＩＣＨにおいて多ビットで表すことができ、ＣＣＨを例えとして、ＳＩＣＨにおいては６ビットの使用が可能で、最大限ではＯＦＤＭ符号を６３個表すことができ、一個のＯＦＤＭ符号は最小の資源割当単位であり、例えば、この６ビットが０１００００であり、十進数に変換すれば１６となり、即ち１６個のＯＦＤＭ符号と対応する。
【００６９】
ＳＩＣＨの解析によってＣＣＨの物理フレームにおける位置及び時間長を確定でき、ブロードキャストフレーム（ＢＣＦ）に割当てられた資源を検出するように物理フレームにおけるＣＣＨからブロードキャスト調達シグナル伝達を検出する。下記表２はブロードキャスト調達シグナル伝達の一種類の例を挙げる。ＢＣＦは表２に示すシグナル伝達／フィードバックチャンネルにおいて伝送され、シグナル伝達／フィードバックチャンネルは伝送チャンネルに含まれている。ｂ３ｂ２ｂ１ｂ０が００００である時、下がりシグナル伝達／フィードバックチャンネル資源の表しと確定し、ｂ３１が０であると、ＢＣＦフレームの存在が確定でき、ｂ３６ｂ３５…ｂ３２が資源の位置を表し、ｂ３９ｂ３８ｂ３７が資源の長さを表す。
【００７０】
【表２】
2014514819.tif 000004
【００７１】
ステップ６３：ＢＣＦを検出したか否かを判断し、肯定の場合、下がり同期を実現し、否定の場合、戻してステップ６１を実行し、当該サブチャンネルの待機時間を超えると、次のサブチャンネルに移行し、引き続きステップ６１を実行する。
【００７２】
ＢＣＦがブロードキャスト配置情報であり、ＣＡＰによって全てのワーキングサブチャンネルにおいて周期的にブロードキャストし、そのうち、ＳＴＡがＢＣＦの送信端を識別できるようにＣＡＰのＭＡＣアドレスを携帯する。ＢＣＦにはシステムパラメータをさらに携帯する。
【００７３】
ＢＣＦの携帯しているシステムパラメータはネットワークアクセスの後続フロー又はネットワークアクセス完了後の他のフローで表す作用を果たしている各種のパラメータを含む可能性がある。
【００７４】
下記表３はＢＣＦのフレームボディー携帯情報の一種類の例を挙げる。
【００７５】
【表３】
2014514819.tif 000005
2014514819.tif 000006
【００７６】
表３に示すようにＢＣＦに携帯している情報は以下の数種類に分けられる。
【００７７】
１)ＣＡＰのＭＡＣアドレスであり、ＳＴＡが当該ＭＡＣアドレスに基づいてＢＣＦを送信するＣＡＰを識別できる。
【００７８】
２)ＣＡＰのワーキングチャンネル番号とワーキング帯域幅であり、ここのワーキングチャンネル番号とワーキング帯域幅に合わせてＳＴＡは現在検出されたＢＣＦのサブチャンネルのほか、当該ＢＣＦをブロードキャストするＣＡＰの他のワーキングサブチャンネルも確定できる。
【００７９】
３)ＣＡＰのアンテナ配置であり、ＳＴＡは無線ネットワークアクセスが成功した後、当該パラメータを使用する。
【００８０】
４)ネットワーク別名であり、ＳＴＡがアクセスしようとするネットワークを選択できるようにネットワーク名称を表す。
【００８１】
５)ネットワーク別名の長さであり、ネットワーク別名フィールドの長さを表し、ネットワーク別名フィールドの長さが固定であれば、オーバーヘッドを節約でき、解析のバラツキを低下させる。
【００８２】
６)システム共通クロックを表すタイムスタンプであり、ＳＴＡが当該タイムスタンプによって自分のクロックを調整できる。
【００８３】
７)ＢＣＦブロードキャスト周期を表すＢＣＦ間隔であり、ＳＴＡが初めにシステムパラメータを取得後、ＳＴＡは、絶えずにＳＩＣＨとＢＣＦを受信することによって自分が終始ＣＡＰと連絡を保持することを確定する必要があり、当該ＢＣＦ間隔に基づいて、ＳＴＡは定期的にＢＣＦを取得することができる。
【００８４】
８)衝突回避パラメータであり、ランダムにアクセス退避された最小ウィンドウ、ランダムにアクセス退避された最大ウィンドウ、及び調達に退避が要求された最小ウィンドウと調達に退避が要求された最大ウィンドウを備える。ＳＴＡはランダムにアクセス退避された最小ウィンドウとランダムにアクセス退避された最大ウィンドウに基づき、後続のランダムなアクセスフローに複数個のＳＴＡの間に衝突が発生する時、退避することができる。ＳＴＡはまた、調達に退避が要求された最小ウィンドウと調達に退避が要求された最大ウィンドウに基づき、調達要求が衝突が発生する時、退避することができる。具体的な退避実行の方法は後文にて詳しく説明する。
【００８５】
９)ＣＡＰの送信パワーであり、無線ネットワークアクセスが成功した後、ＳＴＡは当該送信パワーに基づいて、オープンループパワーコントロールを行うことができる。
【００８６】
１０)物理フレーム構成パラメータであり、
下がりと上りの変換時間を表すＤＧＩ、上りと下がりの変換時間を表すＵＧＩ、
下がり検出チャンネルの下がり伝送チャンネルにおける開始位置を表す下がり検出チャンネルの位置、
下がり検出パイロットパターンインデックスを表す下がり検出パイロットパターン、
及び復調パイロット時間領域間隔を表す復調パイロット時間領域間隔を備える。
【００８７】
ＢＣＦフレームに携帯している物理フレーム構成パラメータは物理フレームにおける一部の構成を表し、この一部の構成は物理フレーム構成の動的配置時、一般に変化しないため、ＢＣＦに携帯されて統一に表れる。こうしてＳＩＣＨでの重複表しが不用になり、ＳＩＣＨのオーバーヘッドを節約した。
【００８８】
１１)ランダムなアクセスフォーマットを表す上りランダムアクセスチャンネル(ＵＩ-ＲＡＣＨ)フォーマットである。本発明では異なるアクセス距離によって異なる上りランダムアクセスチャンネルのフォーマットを設定し、これにより、より遠い距離のカバーをサポートし、ＢＣＦで上りランダムアクセスチャンネル形式を表すことにより、ＳＴＡにランダムアクセス距離とマッチングしたフォーマットを選択させる。
【００８９】
具体的なアプリケーションニーズに応じて、ＣＡＰが生成したＢＣＦに表３に示す情報の一項又は数項を携帯することができ、そして生成したＢＣＦをブロードキャストする。
【００９０】
ＳＴＡがあるサブチャンネルでシステムパラメータを取得した後、次のサブチャンネルに移行し、チャンネルリストにおける全てのサブチャンネルごとにスキャニングするまで、ステップ６１を引き続き実行し、同期取得工程を完成する。
【００９１】
チャンネルリストにおける各サブチャンネルごとにスキャニングを実行した後、ＳＴＡが１つ又は複数個のサブチャンネルでシステムパラメータを取得することができ、この１つ又は複数個のサブチャンネルは同一のＣＡＰのワーキングサブチャンネルである可能性もあるし、異なるＣＡＰのワーキングサブチャンネルを含むことも可能である。ＳＴＡはシステムパラメータを取得した全てのサブチャンネルを使用可能なサブチャンネルとし、前記使用可能なサブチャンネルからいずれか１つのサブチャンネルを選択して後続の同期保持工程を実行するサブチャンネルとし、同時に、アクセスしようとするＣＡＰを確定した。
【００９２】
本発明の方法は選択されたサブチャンネルにおいて物理フレームを引き続き探すステップと、探して得られた物理フレームにおけるＳＩＣＨとＣＣＨを解析するステップと、解析の結果により、探して得られた物理フレームからＢＣＦを検出してシステムパラメータを取得するステップとを含む同期保持工程をさらに備える。
【００９３】
具体的に図７は本発明の実施例におけるＳＴＡ同期保持のフローチャート図である。図７から分かるように、同期保持工程においてＳＩＣＨタイマーとＢＣＦタイマーを設置し、ＳＴＡが選択されたサブチャンネルにおいて引き続き物理フレームを探し、ＳＩＣＨタイマーとＢＣＦタイマーを始動させる。ＳＩＣＨタイマーがタイムオーバーする前にＳＩＣＨの解析に成功した場合、ＳＩＣＨタイマーをリセットし、ＢＣＦタイマーがタイムオーバーする前にＢＣＦの検出に成功した場合、ＢＣＦタイマーをリセットし、且つ選択されたサブチャンネルにおいて引き続き物理フレームを探す。この２つのタイマーのいずれか１つがタイムオーバーしたが、相応な情報が成功に検出されなかった場合、ＳＴＡの同期外れとみなされ、再びチャンネルをスキャニングする必要がある。ここのチャンネルの再度スキャニングは具体的に以下二種の実現方式を含み、
【００９４】
第一、選択されたサブチャンネルを開始点として、チャンネルリストに基づいて１つのサブチャンネルでシステムパラメータを取得するまで同期取得工程を新たに実行し、その後、直接に当該１つのサブチャンネルを選択されたサブチャンネルとして同期保持工程を新たに実行し、チャンネルリストにおける最後のサブチャンネルまでスキャニングしても依然として使用可能なサブチャンネルがない場合、チャンネルリストの一番目のサブチャンネルを引き続きスキャニングする。
【００９５】
第二、チャンネルリストに基づいて同期取得工程を新たに実行することは、チャンネルリストにおける各チャンネルをスキャニングして使用可能なサブチャンネルを１つ選択し、同期保持工程を新たに実行することに相当する。
【００９６】
以上２つの実現方式は下記２つのシーンにアプリケーションできる。
【００９７】
１)同期取得工程が完了後、使用可能なサブチャンネルを１つのみ確定した。
【００９８】
２)同期取得工程が完了後、所定の時間を超えると、当該同期取得工程で確定した使用可能なサブチャンネルを考慮しないことになり、この場合をチャンネルリストの期限切れとも呼ばれる。
【００９９】
勿論、以上２つの実現方式は必ずこの２つのシーンにアプリケーションすることはなく、その中のいずれか１つの実現方式が既定の操作モードとすることができる。
【０１００】
選択可能な他の実現方式として、ＳＴＡが同期外れの後、もう１つの使用可能なサブチャンネルを選択されたサブチャンネルとして、同期保持工程を新たに実行することができる。このような実現方式は下記のシーンにアプリケーションできる。同期取得工程が完了後、確定された使用可能なサブチャンネルは１つだけではなく、且つ現在のチャンネルリストが期限内であるというシーンである。勿論、システムにおいてチャンネルリストの期限切れの限定がない場合、この実現方式も既定の操作モードとすることができ、初めて同期取得工程を実行する際、確定された使用可能なサブチャンネルが１つだけではない場合、当該操作モードを利用することができる。
【０１０１】
ＳＩＣＨタイマーとＢＣＦタイマーのタイミング時間長はアプリケーションの需求によって柔軟的に設置してもよい。
【０１０２】
これによれば、同期保持はＳＴＡが選択されたサブチャンネルにおいて物理フレームを引き続き探し、絶えずにＳＩＣＨを解析し、及びＢＣＦを検出する過程であることが分かる。ＳＩＣＨが所属物理フレームの構成を表したので、ＳＴＡが同期保持の過程で現在のＳＩＣＨの解析結果によって、次の物理フレームの開始時刻を取得することができる。
【０１０３】
図８は、本発明において無線ネットワークにアクセスする端末側装置の構成概略図である。当該装置は、システム同期取得装置８１、ランダムアクセス端末側装置８２及び能力協商端末側装置８３を備える。
【０１０４】
システム同期取得装置８１はＣＡＰと共にシステム同期を取得する過程を実行することに用いられる。
【０１０５】
ランダムアクセス端末側装置８２はランダムに上述ＣＡＰにアクセスすることに用いられる。
【０１０６】
能力協商端末側装置８３は上述ＣＡＰと能力協商を行うことに用いられる。
【０１０７】
本発明に係わる無線ネットワークアクセス用の装置は上述システム同期取得装置８１を指す。
【０１０８】
本発明において、システム同期取得装置は同期取得モジュールを含み、前記同期取得モジュールは第１の検出ユニット、第１の解析ユニット及び第１の取得ユニットを含む。
【０１０９】
前記第１の検出ユニットは現在のサブチャンネルにおいて物理フレームを探す。
【０１１０】
前記第１の解析ユニットは前記第１の検出ユニットによって探して得られた物理フレームにおける、物理フレームの構成を表すＳＩＣＨ及びシステム資源の割当てを表すＣＣＨを解析する。
【０１１１】
前記第１の取得ユニットは前記第１の解析ユニットの解析結果を利用して前記第１の検出ユニットによって探して得られた物理フレームからシステムパラメータを取得する。
【０１１２】
図９は本発明の実施例においてシステムの同期を取得する装置の構成概略図である。当該装置は第１の検出ユニット９１１、第１の解析ユニット９１２及び第１の取得ユニット９１３を含む同期取得モジュール９１を含む。
【０１１３】
第１の検出ユニット９１１は現在のサブチャンネルにおいて物理フレームを探す。
【０１１４】
第１の解析ユニット９１２は第１の検出ユニット９１１が探した得た物理フレームにおける、物理フレームの構成を表すＳＩＣＨ及びシステム資源の割当てを表すＣＣＨを解析する。
【０１１５】
第１の取得ユニット９１３は第１の解析ユニット９１２の解析結果を利用して前記第１の検出ユニット９１１によって探して得られた物理フレームからシステムパラメータを取得する。
【０１１６】
更に、第１の取得ユニット９１３がシステムパラメータを取得した後、次のサブチャンネルに移行して所定のチャンネルリストにおける各サブチャンネルごとに引き続き物理フレームを探すよう第１の検出ユニット９１１をトリガする。
【０１１７】
また更に、第１の取得ユニット９１３はシステムパラメータを取得した全てのサブチャンネルを使用可能なサブチャンネルとし、前記使用可能なサブチャンネルからいずれか１つのサブチャンネルを選択することができる。
【０１１８】
選択可能な一実施例として、第１の検出ユニット９１１は現在のサブチャンネルで物理フレームのフレームヘッダーを検出することによって、物理フレームを探す。
【０１１９】
更に第１の検出ユニット９１１は現在のサブチャンネルでフレームヘッダーが検出されなかった場合、引き続き検出を実行し、サブチャンネルの待機時間を超えると、次のサブチャンネルに移行して引き続き物理フレームを探す。
【０１２０】
選択可能な一実施例として、第１の解析ユニット９１２はＳＩＣＨとＣＣＨの解析に成功しなかった場合、引き続き操作を実行するよう第１の検出ユニット９１１をトリガし、サブチャンネルの待機時間を超えると、次のサブチャンネルに移行して引き続き物理フレームを探すよう第１の検出ユニット９１１をトリガする。
【０１２１】
選択可能な一実施例として、第１の取得ユニット９１３は前記物理フレームからブロードキャストフレームＢＣＦを検出し、そして前記ＢＣＦからシステムパラメータを取得する。
【０１２２】
更に、第１の取得ユニット９１３がＢＣＦを検出しなかった場合、引き続き操作を実行するよう第１の検出ユニット９１１をトリガし、サブチャンネルの待機時間を超えると、次のサブチャンネルに移行して引き続き物理フレームを探すよう第１の検出ユニット９１１をトリガする。
【０１２３】
同期取得モジュール９１によると、本発明の実施例においてシステム同期取得装置は第２の検出ユニット９２１、第２の解析ユニット９２２及び第２の取得ユニット９２３を含む同期保持モジュール９２を更に備える。
【０１２４】
第２の検出ユニット９２１は選択されたサブチャンネルにおいて引き続き物理フレームを探す。
【０１２５】
第２の解析ユニット９２２は第２の検出ユニット９２１によって探して得られたフレームにおいてＳＩＣＨ及びＣＣＨを解析する。
【０１２６】
第２の取得ユニット９２３は第２の解析ユニット９２２による解析結果を利用して第２の検出ユニット９２１によって探して得られたフレームからＢＣＦを検出してシステムパラメータを取得する。
【０１２７】
同期保持モジュール９２の第１種の選択可能な実施例として、同期保持モジュール９２はＳＩＣＨタイマー９２４、ＢＣＦタイマー９２５及び判断ユニット９２６を更に備える。
【０１２８】
第２の検出ユニット９２１は、さらに、物理フレームを探し始める時に、ＳＩＣＨタイマー９２４及びＢＣＦタイマー９２５を始動させる。
【０１２９】
判断ユニット９２６はＳＩＣＨタイマー９２４がタイムオーバーする前に、第２の解析ユニット９２２がＳＩＣＨの解析に成功したか否かを判断し、肯定の場合、ＳＩＣＨタイマー９２４をリセットし、否定の場合、前記チャンネルリストに基づいて、操作を新たに実行するよう同期取得モジュール９１をトリガし、ＢＣＦタイマー９２５がタイムオーバーする前に、第２の取得ユニット９２３がＢＣＦを検出したか否かを判断し、肯定の場合、ＢＣＦタイマー９２５をリセットし、選択されたサブチャンネルにおいて引き続き物理フレームを探すよう第２の検出ユニット９２１をトリガし、否定の場合、前記チャンネルリストに基づいて操作を新たに実行するよう同期取得モジュール９１をトリガする。
【０１３０】
同期保持モジュール９２の第２種の選択可能な実施例として、図９に示す構成と同様に同期保持モジュール９１はＳＩＣＨタイマー９２４、ＢＣＦタイマー９２５及び判断ユニット９２６を更に備える。
【０１３１】
第２の検出ユニット９２１は、さらに、物理フレームを探し始める時に、ＳＩＣＨタイマー９２４及びＢＣＦタイマー９２５を始動させる。
【０１３２】
判断ユニット９２６は、ＳＩＣＨタイマー９２４がタイムオーバーする前に、第２の解析ユニット９２２がＳＩＣＨの解析に成功したか否かを判断し、肯定の場合、ＳＩＣＨタイマー９２４をリセットし、否定の場合、選択されたサブチャンネルを開始点とし、前記チャンネルリストに基づいて操作を新たに実行するよう同期取得モジュール９１をトリガし、ＢＣＦタイマー９２５がタイムオーバーする前に、第２の取得ユニット９２３がＢＣＦを検出したか否かを判断し、肯定の場合、ＢＣＦタイマー９２５をリセットし、選択されたサブチャンネルにおいて引き続き物理フレームを探すよう第２の検出ユニット９２１をトリガし、否定の場合、選択されたサブチャンネルを開始点とし、前記チャンネルリストに基づいて操作を新たに実行するよう同期取得モジュール９１をトリガする。
【０１３３】
これを踏まえて、第１の取得ユニット９１３は、さらに、操作を新たに実行する中、１つのサブチャンネルにおいてシステムパラメータを取得した後、直接に該１つのサブチャンネルを選択されたサブチャンネルとして新たに操作を実行するよう同期保持モジュール９２をトリガする。
【０１３４】
同期保持モジュール９２の第３種の選択可能な実施例として、図１０に示す構成のように、同期保持モジュール９２はＳＩＣＨタイマー９２４、ＢＣＦタイマー９２５及び判断ユニット９２６をさらに備える。
【０１３５】
第２の検出ユニット９２１は更に物理フレームを探して始める時に、ＳＩＣＨタイマー９２４及びＢＣＦタイマー９２５を始動させる。
【０１３６】
判断ユニット９２６は、ＳＩＣＨタイマー９２４がタイムオーバーする前に、第２の解析ユニット９２２がＳＩＣＨの解析に成功したか否かを判断し、肯定の場合、ＳＩＣＨタイマー９２４をリセットし、否定の場合、使用可能なサブチャンネルにおいて１つのサブチャンネルを新たに選択するよう第１の取得ユニット９１３をトリガし、ＢＣＦタイマー９２５がタイムオーバーする前に、第２の取得ユニット９２３がＢＣＦを検出したか否かを判断し、肯定の場合、ＢＣＦタイマー９２５をリセットし、選択されたサブチャンネルにおいて引き続き物理フレームを探すよう第２の検出ユニット９２１をトリガし、否定の場合、使用可能なサブチャンネルにおいて１つのサブチャンネルを新たに選択するよう第１の取得ユニット９１３をトリガする。
【０１３７】
上述同期保持モジュール９２の３種類の選択可能な実施例において、チャンネルリストの期限切れのアプリケーションシーンの制限を考慮すると、当該装置にはチャンネルリストが期限切れるか否かを確定するモジュールをさらに備えることができ、当該モジュールは同期取得モジュール９１の操作を監視制御でき、それがチャンネルリストのスキャニングを完成後、タイムをカウントし始め、所定時間に達すると、チャンネルリストの期限切れの結果を取得する。又は、端末側自身はチャンネルリストが期限切れるか否かを確定するモジュールを備える場合、同期保持モジュール９２は直接に当該モジュールで得たチャンネルリストが期限切れるか否かの結果を利用することができる。
【０１３８】
上述同期保持モジュール９２の３種類の選択可能な実施例において、第２の検出ユニット９２１は選択されたサブチャンネルにおいて、探して得られた現在の物理フレームにおけるＳＩＣＨを利用して、次の物理フレームの開始時刻を確定することができる。
【０１３９】
同一の同期保持モジュールは上記図９と図１０に示す３種類の実施例における構成と機能を集積することができる。
【０１４０】
ＣＡＰとの時間同期を構築するため、本発明の実施例においてシステム同期取得装置は、システムパラメータにおけるシステム共通クロックを利用してＣＡＰとの同期を構築する同期ユニットをさらに備えてもよい。
【０１４１】
開示におけるステップの特定順序または段階は例示的な方法の実施例である。設計の好みベースで、過程の中のステップの特定順序または段階は、本開示の保護範囲から脱離することなく新たに振り当てることができると理解すべきである。特許請求の範囲における方法請求項は例示的な順序により各ステップの要素が挙げられるが、記載している特定順序または段階に限られることではない。
【０１４２】
前記の詳しい説明では、各特徴を共にシグナル実施形態に組み合わせて、本開示を簡素化するが、このような開示方法を下記の意図の反映に説明するわけではなく、即ち、要求される保護の主題の実施形態は各請求項に明瞭に記載されている特徴よりも多い。その逆に、添付される特許請求の範囲で反映している通り、本発明は開示されるシグナル実施形態の全ての特徴よりも少ない状態に属する。このため、添付される特許請求の範囲が特に明瞭に詳細な説明に合弁され、そのうち、各請求項が独自に本発明の独立の好ましい技術案とする。
【０１４３】
前記の記述は１つまたは複数の実施例の例を含む。当然ながら、前記の実施例を説明するために、部品または方法に対するすべての可能な組み合わせの説明は不可能であるが、当業者は各実施例を更に組み合わせ・配列できることを理解すべきである。このため、本文では説明する実施例は、添付される特許請求の範囲の保護範囲における全てのこのような変更、修正と変形を含む。また、明細書または特許請求の範囲に使用される「含める」という用語については、当該用語の表現する方式は「含む」という用語と類似し、請求項では接続用語で説明する「含む」の通りである。なお、特許請求の範囲及び明細書におけるいずれかの「または」という用語は「非排他的なまたは」を表すものである。
【図１】
2014514819.tif 000007
【図２】
2014514819.tif 000008
【図３】
2014514819.tif 000009
【図４】
2014514819.tif 000010
【図５】
2014514819.tif 000011
【図６】
2014514819.tif 000012
【図７】
2014514819.tif 000013
【図８】
2014514819.tif 000014
【図９】
2014514819.tif 000015
【図１０】
2014514819.tif 000016
【手続補正書】
【提出日】平成25年12月3日(2013.12.3)
【手続補正１】
【補正対象書類名】特許請求の範囲
【補正対象項目名】全文
【補正方法】変更
【補正の内容】
【特許請求の範囲】
【請求項１】
現在のサブチャンネルにおいて物理フレームを探すステップと、
探して得られた前記物理フレームにおける、前記物理フレームの構成を表すシステム情報チャンネルＳＩＣＨとシステム資源の割当てを表す制御チャンネルＣＣＨとを解析するステップと、
前記解析の結果を用いて、前記物理フレームからシステムパラメータを取得するステップと、を含む同期取得工程を備えることを特徴とする無線ネットワークアクセス用の方法。
【請求項２】
前記同期取得工程は、システムパラメータを取得した後、次のサブチャンネルに移行して、チャンネルリストにおける各サブチャンネルごとに前記物理フレームを探すステップを引き続き実行するステップをさらに含むことを特徴とする請求項１に記載の方法。
【請求項３】
システムパラメータを取得した全てのサブチャンネルを使用可能なサブチャンネルとし、前記使用可能なサブチャンネルからいずれか１つのサブチャンネルを選択するステップをさらに含むことを特徴とする請求項２に記載の方法。
【請求項４】
選択されたサブチャンネルにおいて物理フレームを引き続き探すステップと、
探して得られた物理フレームにおけるＳＩＣＨとＣＣＨを解析するステップと、
解析の結果により、探して得られた物理フレームからＢＣＦを検出してシステムパラメータを取得するステップと、を含む同期保持工程をさらに備えることを特徴とする請求項３に記載の方法。
【請求項５】
前記同期保持工程は、
物理フレームを探し始めるときに、ＳＩＣＨタイマー及びＢＣＦタイマーを始動するステップと、
前記ＳＩＣＨタイマーがタイムオーバーする前に、ＳＩＣＨの解析に成功したか否かを判断し、肯定の場合、ＳＩＣＨタイマーをリセットし、否定の場合、選択されたサブチャンネルを開始点として、前記チャンネルリストに基づいて、１つのサブチャンネルでシステムパラメータを取得するまで同期取得工程を新たに実行し、その後、直接に該１つのサブチャンネルを選択されたサブチャンネルとして同期保持工程を新たに実行するステップと、
前記ＢＣＦタイマーがタイムオーバーする前に、ＢＣＦを検出したか否かを判断し、肯定の場合、ＢＣＦタイマーをリセットし、選択されたサブチャンネルにおいて物理フレームを引き続き探し、否定の場合、選択されたサブチャンネルを開始点として、前記チャンネルリストに基づいて、１つのサブチャンネルでシステムパラメータを取得するまで同期取得工程を新たに実行し、その後、直接に該１つのサブチャンネルを選択されたサブチャンネルとして同期保持工程を新たに実行するステップとをさらに含み、または
前記同期保持工程は、物理フレームを探し始めるときに、ＳＩＣＨタイマー及びＢＣＦタイマーを始動するステップと、
前記ＳＩＣＨタイマーがタイムオーバーする前に、ＳＩＣＨの解析に成功したか否かを判断し、肯定の場合、ＳＩＣＨタイマーをリセットし、否定の場合、前記チャンネルリストに基づいて、同期取得工程を新たに実行するステップと、
前記ＢＣＦタイマーがタイムオーバーする前に、ＢＣＦを検出したか否かを判断し、肯定の場合、ＢＣＦタイマーをリセットし、選択されたサブチャンネルにおいて物理フレームを引き続き探し、否定の場合、前記チャンネルリストに基づいて、同期取得工程を新たに実行するステップとをさらに含み、または
前記同期保持工程は、
物理フレームを探し始めるときに、ＳＩＣＨタイマー及びＢＣＦタイマーを始動し、
前記ＳＩＣＨタイマーがタイムオーバーする前に、ＳＩＣＨの解析に成功したか否かを判断し、肯定の場合、ＳＩＣＨタイマーをリセットし、否定の場合、使用可能なサブチャンネルから１つのサブチャンネルを新たに選択して同期保持工程を実行するステップと、
前記ＢＣＦタイマーがタイムオーバーする前に、ＢＣＦを検出したか否かを判断し、肯定の場合、ＢＣＦタイマーをリセットし、選択されたサブチャンネルにおいて物理フレームを引き続き探し、否定の場合、使用可能なサブチャンネルから１つのサブチャンネルを新たに選択して同期保持工程を実行するステップと、
をさらに含むことを特徴とする請求項４に記載の方法。
【請求項６】
前記同期保持工程において、探して得られた現在の物理フレームにおけるＳＩＣＨを利用して、次の物理フレームの開始時刻を確定することを特徴とする請求項４に記載の方法。
【請求項７】
前記同期取得工程において、物理フレームのフレームヘッダーを検出することにより、物理フレームを探し、且つ。
現在のサブチャンネルにおいてフレームヘッダーが検出されなかった場合、現在のサブチャンネルにおいて検出を引き続き実行し、サブチャンネルの待機時間を超えると、次のサブチャンネルに移行し、引き続き前記物理フレームを探すステップを実行することを特徴とする請求項１に記載の方法。
【請求項８】
前記同期取得工程において、前記ＳＩＣＨ及びＣＣＨの解析に成功しなかった場合、現在のサブチャンネルにおいて引き続き前記物理フレームを探すステップを実行し、サブチャンネルの待機時間を超えると、次のサブチャンネルに移行し、引き続き前記物理フレームを探すステップを実行することを特徴とする請求項１に記載の方法。
【請求項９】
前記同期取得工程において、前記システムパラメータを取得するステップは、
前記解析の結果を利用して、前記物理フレームからブロードキャストフレームＢＣＦを検出するステップと、
前記ＢＣＦからシステムパラメータを取得するステップと、を含むことを特徴とする請求項１に記載の方法。
【請求項１０】
前記物理フレームからＢＣＦを検出しなかった場合、現在のサブチャンネルにおいて引き続き前記物理フレームを探すステップを実行し、サブチャンネルの待機時間を超えると、次のサブチャンネルに移行し、引き続き前記物理フレームを探すステップを実行することを特徴とする請求項９に記載の方法。
【請求項１１】
現在のサブチャンネルにおいて物理フレームを探す第１の検出ユニットと、
前記第１の検出ユニットによって探して得られた物理フレームにおける、物理フレームの構成を表すＳＩＣＨ及びシステム資源の割当てを表すＣＣＨを解析する第１の解析ユニットと、
前記第１の解析ユニットによる解析の結果を利用して、前記第１の検出ユニットによって探して得られた物理フレームからシステムパラメータを取得する第１の取得ユニットと、を含む同期取得モジュールを備えることを特徴とする無線ネットワークアクセス用の装置。
【請求項１２】
前記第１の取得ユニットがシステムパラメータを取得した後、次のサブチャンネルに移行し、所定のチャンネルリストにおける各チャンネルごとに引き続き物理フレームを探すよう前記第１の検出ユニットをトリガすることを特徴とする請求項１１に記載の装置。
【請求項１３】
前記第１の取得ユニットは、さらに、システムパラメータを取得した全てのサブチャンネルを使用可能なサブチャンネルとし、前記使用可能なサブチャンネルからいずれか１つのサブチャンネルを選択することを特徴とする請求項１２に記載の装置。
【請求項１４】
選択されたサブチャンネルにおいて引き続き物理フレームを探す第２の検出ユニットと、
前記第２の検出ユニットによって探して得られた物理フレームにおいてＳＩＣＨ及びＣＣＨを解析する第２の解析ユニットと、
前記第２の解析ユニットによる解析結果を利用して、前記第２の検出ユニットによって探して得られた物理フレームからＢＣＦを検出してシステムパラメータを取得する第２の取得ユニットと、を含む同期保持モジュールをさらに備えることを特徴とする請求項１３に記載の装置。
【請求項１５】
前記同期保持モジュールは、ＳＩＣＨタイマーと、ＢＣＦタイマーと、判断ユニットとをさらに備え、
前記第２の検出ユニットは、さらに、物理フレームを探し始める時に、前記ＳＩＣＨタイマー及びＢＣＦタイマーを始動させ、
前記判断ユニットは、前記ＳＩＣＨタイマーがタイムオーバーする前に、前記第２の解析ユニットがＳＩＣＨの解析に成功したか否かを判断し、肯定の場合、前記ＳＩＣＨタイマーをリセットし、否定の場合、選択されたサブチャンネルを開始点とし、前記チャンネルリストに基づいて操作を新たに実行するよう前記同期取得モジュールをトリガし、前記ＢＣＦタイマーがタイムオーバーする前に、前記第２の取得ユニットがＢＣＦを検出したか否かを判断し、肯定の場合、前記ＢＣＦタイマーをリセットし、選択されたサブチャンネルにおいて物理フレームを引き続き探すよう前記第２の検出ユニットをトリガし、否定の場合、選択されたサブチャンネルを開始点とし、前記チャンネルリストに基づいて操作を新たに実行するよう前記同期取得モジュールをトリガし、
前記第１の取得ユニットは、さらに、操作を新たに実行する中、１つのチャンネルにおいてシステムパラメータを取得した後、該１つのサブチャンネルを選択されたサブチャンネルとして操作を新たに実行するよう前記同期保持モジュールを直接トリガし、または
前記同期保持モジュールは、ＳＩＣＨタイマーと、ＢＣＦタイマーと、判断ユニットとをさらに備え、
前記第２の検出ユニットは、さらに、物理フレームを探し始める時に、前記ＳＩＣＨタイマー及びＢＣＦタイマーを始動させ、
前記判断ユニットは、前記ＳＩＣＨタイマーがタイムオーバーする前に、前記第２の解析ユニットがＳＩＣＨの解析に成功したか否かを判断し、肯定の場合、前記ＳＩＣＨタイマーをリセットし、否定の場合、前記チャンネルリストに基づいて操作を新たに実行するよう前記同期取得モジュールをトリガし、前記ＢＣＦタイマーがタイムオーバーする前に、前記第２の取得ユニットがＢＣＦを検出したか否かを判断し、肯定の場合、前記ＢＣＦタイマーをリセットし、選択されたサブチャンネルにおいて物理フレームを引き続き探すよう前記第２の検出ユニットをトリガし、否定の場合、前記チャンネルリストに基づいて操作を新たに実行するよう前記同期取得モジュールをトリガし、または
前記同期保持モジュールは、ＳＩＣＨタイマーと、ＢＣＦタイマーと、判断ユニットとをさらに備え、
前記第２の検出ユニットは、さらに、物理フレームを探し始める時に、前記ＳＩＣＨタイマー及びＢＣＦタイマーを始動させ、
前記判断ユニットは、前記ＳＩＣＨタイマーがタイムオーバーする前に、前記第２の解析ユニットがＳＩＣＨの解析に成功したか否かを判断し、肯定の場合、前記ＳＩＣＨタイマーをリセットし、否定の場合、使用可能なサブチャンネルにおいて１つのサブチャンネルを新たに選択するよう前記第１の取得ユニットをトリガし、前記ＢＣＦタイマーがタイムオーバーする前に、前記第２の取得ユニットがＢＣＦを検出したかどうかを判断し、肯定の場合、前記ＢＣＦタイマーをリセットし、選択されたサブチャンネルにおいて物理フレームを引き続き探すよう前記第２の検出ユニットをトリガし、否定の場合、使用可能なサブチャンネルにおいて１つのサブチャンネルを新たに選択するよう前記第１の取得ユニットをトリガすることを特徴とする請求項１４に記載の装置。
【請求項１６】
前記第２の検出ユニットは、選択されたサブチャンネルにおいて探して得られた現在の物理フレームにおけるＳＩＣＨを利用して、次の物理フレームの開始時刻を確定することを特徴とする請求項１４に記載の装置。
【請求項１７】
前記第１の検出ユニットは、物理フレームのフレームヘッダーを検出することによって、物理フレームを探し、且つ前記第１の検出ユニットは、現在のサブチャンネルでフレームヘッダーが検出されなかった場合、引き続き現在のサブチャンネルにおいて検出を実行し、サブチャンネルの待機時間を超えると、次のサブチャンネルに移行して、物理フレームを引き続き探すことを特徴とする請求項１１に記載の装置。
【請求項１８】
前記第１の解析ユニットがＳＩＣＨ及びＣＣＨの解析に成功しなかった場合、現在のサブチャンネルにおいて物理フレームを引き続き探すよう前記第１の検出ユニットをトリガし、サブチャンネルの待機時間を超えると、次のサブチャンネルに移行して物理フレームを引き続き探すよう前記第１の検出ユニットをトリガすることを特徴とする請求項１１に記載の装置。
【請求項１９】
前記第１の取得ユニットは、前記物理フレームからブロードキャストフレームＢＣＦを検出し、そして前記ＢＣＦからシステムパラメータを取得することを特徴とする請求項１１に記載の装置。
【請求項２０】
前記第１の取得ユニットがＢＣＦを検出しなかった場合、現在のチャンネルにおいて物理フレームを引き続き探すよう前記第１の検出ユニットをトリガし、サブチャンネルの待機時間を超えると、次のサブチャンネルに移行し、物理フレームを引き続き探すよう前記第１の検出ユニットをトリガすることを特徴とする請求項１９に記載の装置。
【国際調査報告】
2014514819.tif 000017
2014514819.tif 000018
2014514819.tif 000019
2014514819.tif 000020
2014514819.tif 000021
2014514819.tif 000022